(57)【要約】【課題】記録媒体を用いた決済システムにおいて、記録媒体の詳細な利用状況を把握する。【解決手段】  ＩＣカード１０の金額情報をＩＣカード１０固有のカードＩＤに対応づけて管理しておき、加盟店６０−１〜６０−ＭにてＩＣカード１０が利用された場合に、その利用に伴う金額情報とその利用の内容となる利用情報とをＩＣカード１０のカードＩＤとともに決済管理部３０に送信し、決済管理部３０において、ＩＣカード１０の利用情報をＩＣカード１０のカードＩＤと対応づけて管理する。【選択図】図１
2005242820.tif 000002
【特許請求の範囲】
【請求項１】
記録媒体を用いた決済システムであって、
前記記録媒体の利用状況を当該記録媒体に付与された識別情報に対応づけて管理する決済管理手段と、
前記記録媒体に金額情報を書き込み可能に構成され、前記記録媒体に金額情報を書き込んだ場合に当該記録媒体の識別情報と前記金額情報とを前記決済管理手段に送信する少なくとも１つの第１の端末と、
前記記録媒体を利用可能な店舗に設けられ、該店舗にて前記記録媒体が利用された場合、当該記録媒体に書き込まれた金額情報を、前記利用に伴う金額を用いて更新するとともに、前記利用の内容となる利用情報及び該利用に伴う金額情報を当該記録媒体の識別情報とともに前記決済管理手段に送信する少なくとも１つの第２の端末とを有し、
前記決済管理手段は、
前記第１の端末及び第２の端末から送信されてきた識別情報及び金額情報に基づいて、前記記録媒体に書き込まれている金額情報を当該記録媒体の識別情報と対応づけて管理する金額情報管理手段と、
前記第２の端末から送信されてきた情報に基づいて、前記記録媒体の利用情報を当該記録媒体の識別情報と対応づけて管理する利用状況管理手段とを有する決済システム。
【請求項２】
請求項１に記載の決済システムにおいて、
前記決済管理手段は、
前記記録媒体の発行先に関する情報を当該記録媒体の識別情報と対応づけて管理する発行先管理手段と、
前記発行先管理手段にて管理される発行先に関する情報を用いて、該情報に対応づけられた識別情報に対応づけて前記利用状況管理手段にて管理される前記利用情報に応じた広告情報を配信する広告情報配信手段とを有することを特徴とする決済システム。
【請求項３】
請求項１または請求項２に記載の決済システムにおいて、
前記第１の端末は、前記記録媒体に既に金額情報が書き込まれている場合、指定された金額情報を用いて前記金額情報を更新するとともに、前記指定された金額情報を当該記録媒体の識別情報とともに前記決済管理手段に送信することを特徴とする決済システム。
【発明の詳細な説明】
【技術分野】
【０００１】
本発明は、商品の販売やサービスの提供に対して決済を行う決済システムに関し、特に、ＩＣカード等の記録媒体を用いた決済システムに関する。
【背景技術】
【０００２】
近年、情報化社会の進展に伴い、商品の販売やサービスの提供に対する決済方法として様々な手段が採用されており、それにより、消費者は、現金を持ち歩くことなく商品を購入したりサービスを受けたりすることができるようになってきている。
【０００３】
このような決済方法の１つとして、金額情報が書き込まれたカードを用いて決済を行う方法がある。例えば、鉄道会社において、ＩＣチップが搭載されたＩＣカードに金額情報を書き込んでおき、このＩＣカードを用いて定期券や乗車券を購入することができるシステムが考えられている（例えば、特許文献１参照。）。このシステムにおいては、鉄道利用者が、自分が所有するＩＣカードに対して、駅に設置された端末機器にて金額情報をチャージしておけば、その後、定期券や乗車券を購入する際、このＩＣカードを券売機に挿入することにより定期券や乗車券が販売されるとともに、その金額がＩＣカードにチャージされた金額情報から減算される。なお、ＩＣカードに書き込まれる金額情報は、駅に設置された端末機器にてリチャージすることができる。また、ＩＣカードには、ＩＣカード毎にユニークなＩＤ番号が書き込まれており、ＩＣカードの発行元において、このＩＤ番号によってＩＣカードの金額情報が管理されている。
【０００４】
このように、ＩＣカード等の記録媒体に金額情報及び記録媒体固有のＩＤ番号を書き込んでおき、商品が販売されたりサービスが提供されたりした際に、その金額が記録媒体に書き込まれた金額情報から減算されるとともに、減算された金額情報がＩＤ番号によって管理される決済システムにおいては、上述したような鉄道会社における定期券や乗車券の販売における決済に限らず、一般的な商品販売やサービス提供における決済において利用することが考えられている（例えば、特許文献２参照。）。
【特許文献１】特開２００３−３３７９２７号公報
【特許文献２】特開２００３−１４１４２８号公報
【発明の開示】
【発明が解決しようとする課題】
【０００５】
しかしながら、上述したような記録媒体を用いた決済システムにおいては、記録媒体に書き込まれた金額情報と記録媒体固有のＩＤ番号とを対応づけて管理しているだけであるため、例えば、どのような消費者が何を購入するためにＩＣカードを利用したか等、記録媒体の詳細な利用状況を把握することができないという問題点がある。そのため、例えば、記録媒体の所有者に対して、記録媒体の利用状況に応じた情報を提供することができない。
【０００６】
本発明は、上述したような従来の技術が有する問題点に鑑みてなされたものであって、記録媒体を用いた決済システムにおいて、記録媒体の詳細な利用状況を把握することができる決済システムを提供することを目的とする。
【課題を解決するための手段】
【０００７】
上記目的を達成するために本発明は、
記録媒体を用いた決済システムであって、
前記記録媒体の利用状況を当該記録媒体に付与された識別情報に対応づけて管理する決済管理手段と、
前記記録媒体に金額情報を書き込み可能に構成され、前記記録媒体に金額情報を書き込んだ場合に当該記録媒体の識別情報と前記金額情報とを前記決済管理手段に送信する少なくとも１つの第１の端末と、
前記記録媒体を利用可能な店舗に設けられ、該店舗にて前記記録媒体が利用された場合、当該記録媒体に書き込まれた金額情報を、前記利用に伴う金額を用いて更新するとともに、前記利用の内容となる利用情報及び該利用に伴う金額情報を当該記録媒体の識別情報とともに前記決済管理手段に送信する少なくとも１つの第２の端末とを有し、
前記決済管理手段は、
前記第１の端末及び第２の端末から送信されてきた識別情報及び金額情報に基づいて、前記記録媒体に書き込まれている金額情報を当該記録媒体の識別情報と対応づけて管理する金額情報管理手段と、
前記第２の端末から送信されてきた情報に基づいて、前記記録媒体の利用情報を当該記録媒体の識別情報と対応づけて管理する利用状況管理手段とを有する。
【０００８】
また、前記決済管理手段は、
前記記録媒体の発行先に関する情報を当該記録媒体の識別情報と対応づけて管理する発行先管理手段と、
前記発行先管理手段にて管理される発行先に関する情報を用いて、該情報に対応づけられた識別情報に対応づけて前記利用状況管理手段にて管理される前記利用情報に応じた広告情報を配信する広告情報配信手段とを有することを特徴とする。
【０００９】
また、前記第１の端末は、前記記録媒体に既に金額情報が書き込まれている場合、指定された金額情報を用いて前記金額情報を更新するとともに、前記指定された金額情報を当該記録媒体の識別情報とともに前記決済管理手段に送信することを特徴とする。
【００１０】
上記のように構成された本発明においては、第１の端末にて記録媒体に金額情報が書き込まれると、記録媒体に書き込まれた金額情報がその記録媒体に付与された識別情報とともに決済管理手段に送信され、決済管理手段の金額情報管理手段において、第１の端末から送信されてきた金額情報がその記録媒体の識別情報と対応づけて管理される。その後、記録媒体を利用可能な店舗にて記録媒体が利用された場合、第２の端末において、記録媒体に書き込まれた金額情報が、利用に伴う金額を用いて更新されるとともに、利用の内容となる利用情報及びその利用に伴う金額情報が記録媒体の識別情報とともに決済管理手段に送信される。すると、決済管理手段の金額情報管理手段において、第２の端末から金額情報とともに送信されてきた識別情報に対応づけて管理されている金額情報が、第２の端末から送信されてきた金額情報を用いて更新されて管理される。また、決済管理手段の利用状況管理手段において、第２の端末から送信されてきた情報に基づいて、記録媒体の利用情報がその記録媒体の識別情報と対応づけて管理される。
【００１１】
このように、記録媒体を用いて決済を行う場合にその利用情報が管理されるので、記録媒体の詳細な利用状況を把握することができるようになる。
【００１２】
また、決済管理手段の広告情報配信手段において、発行先管理手段にて管理される発行先に関する情報を用いて、その情報に対応づけられた識別情報に対応づけて利用状況管理手段にて管理される利用情報に応じた広告情報が配信される場合は、記録媒体の所有者に対して、記録媒体の利用状況に応じた情報を提供することができる。
【００１３】
また、第１の端末において、記録媒体に既に金額情報が書き込まれている場合に金額情報が指定されると、指定された金額情報を用いて金額情報が更新されるとともに、指定された金額情報がその記録媒体の識別情報とともに決済管理手段に送信されることも考えられる。
【発明の効果】
【００１４】
以上説明したように本発明においては、記録媒体を用いて決済を行う場合にその利用情報が管理される構成としたため、記録媒体の詳細な利用状況を把握することができる。
【００１５】
また、記録媒体の発行先に関する情報を当該記録媒体の識別情報と対応づけて管理する発行先管理手段と、発行先管理手段にて管理される発行先に関する情報を用いて、該情報に対応づけられた識別情報に対応づけて利用状況管理手段にて管理される利用情報に応じた広告情報を配信する広告情報配信手段とを有するものにおいては、記録媒体の所有者に対して、記録媒体の利用状況に応じた情報を提供することができる。
【００１６】
また、第１の端末において、記録媒体に既に金額情報が書き込まれている場合、指定された金額情報を用いて金額情報を更新するとともに、指定された金額情報を当該記録媒体の識別情報とともに決済管理手段に送信する構成としたものにおいては、既に金額情報が書き込まれている記録媒体に対して、第１の端末を用いて金額情報を加算することができる。
【発明を実施するための最良の形態】
【００１７】
以下に、本発明の実施の形態について図面を参照して説明する。
【００１８】
図１は、本発明の決済システムの実施の一形態を示す図である。
【００１９】
本形態は図１に示すように、カード発行機関２０−１〜２０−ｎにて発行される記録媒体であるＩＣカード１０と、ＩＣカード１０及び金融機関４０−１〜４０−Ｎを用いた決済を行う決済管理部３０と、ネットワーク７０を介して決済管理部３０と接続された第１の端末である入金端末５０−１〜５０−ｍと、ＩＣカード１０が利用可能な加盟店６０−１〜６０−Ｍに設置され、ネットワーク７０を介して決済管理部３０と接続された第２の端末である加盟店端末６１−１〜６１−Ｍとから構成されている。
【００２０】
入金端末５０−１〜５０−ｍは、ＩＣカード１０に金額情報を書き込み可能に構成され、ＩＣカード１０に金額情報を書き込んだ場合に、ＩＣカード１０に付与された識別情報であるＩＣカード固有のカードＩＤと金額情報とを決済管理部３０にネットワーク７０を介して送信する。
【００２１】
加盟店端末６１−１〜６１−Ｍは、設置された加盟店６０−１〜６０−ＭにてＩＣカード１０が利用された場合、ＩＣカード１０に書き込まれた金額情報を、利用に伴う金額を用いて更新するとともに、利用の内容となる利用情報及び利用に伴う金額情報をそのＩＣカード１０のカードＩＤとともに決済管理部３０にネットワーク７０を介して送信する。
【００２２】
決済管理部３０は、加盟店６０−１〜６０−ＭにてＩＣカード１０が利用された場合、その決済を金融機関４０−１〜４０−Ｎを用いて行い、また、ＩＣカード１０の利用状況をＩＣカード１０に付与された識別情報であるカードＩＤに対応づけて管理するものであって、金額情報管理部３４と、利用状況管理部３６と、発行先管理部３２と、広告情報配信部３７と、口座管理部３５と、通信部３３とを有している。
【００２３】
金額情報管理部３４は、入金端末５０−１〜５０−ｍ及び加盟店端末６１−１〜６１−Ｍから送信されてきたカードＩＤ及び金額情報に基づいて、ＩＣカード１０に書き込まれている金額情報をカードＩＤと対応づけて金額情報データベース３１ｂに登録して管理する。
【００２４】
利用状況管理部３６は、加盟店端末６１−１〜６１−Ｍから送信されてきた情報に基づいて、ＩＣカード１０の利用情報をカードＩＤと対応づけて利用状況データベース３１ｃに登録して管理する。
【００２５】
発行先管理部３２は、カード発行機関２０−１〜２０−ｎにて発行されたＩＣカード１０の発行先に関する情報を、ＩＣカード１０のカードＩＤと対応づけて発行先データベース３１ａに登録して管理する。
【００２６】
広告情報配信部３７は、発行先管理部３２にて管理される発行先に関する情報を用いて、広告情報データベース３１ｄに登録された広告情報の中から、発行先に関する情報に対応づけられたカードＩＤに対応づけて利用状況データベース３１ｃに登録されている利用情報に応じた広告情報を配信する。
【００２７】
口座管理部３５は、金融機関４０−１〜４０−Ｎに設けられた口座のうち、ＩＣカード１０を用いて決済を行う口座をＩＣカード１０毎に管理する。
【００２８】
通信部３３は、ネットワーク７０を介しての情報の送受信を制御する。
【００２９】
以下に、上記のように構成された決済システムにおける決済方法について説明する。
【００３０】
まず、カード発行機関２０−１〜２０−ｎにてＩＣカード１０が発行される際の処理について説明する。
【００３１】
ＩＣカード１０を用いて決済を行うことを希望する消費者が、カード発行機関２０−１〜２０−ｎが有する申込用紙に所定の事項を記入して申し込みを行うと、この消費者に対して、ＩＣカード１０固有のカードＩＤが書き込まれたＩＣカード１０がカード発行機関２０−１〜２０−ｎから発行されるとともに、申込用紙に記入された発行先となる消費者に関する情報が、その消費者に発行されたＩＣカード１０のカードＩＤとともに決済管理部３０に通知される。なお、カード発行機関２０−１〜２０−ｎにて発行されるＩＣカードとしては、非接触状態で情報の書き込み及び読み出しが可能な非接触型ＩＣカードや、接触状態で情報の書き込み及び読み出しが可能な接触型ＩＣカード等が考えられる。また、記録媒体としては、本形態のようにＩＣカード１０に限らず、磁気カード等、情報の書き込み及び読み出しが可能なものであればよい。また、カード発行機関２０−１〜２０−ｎに対する申し込みは、上述したように申し込み用紙を用いることに限らず、インターネットを介して所定のＷｅｂページにアクセスし、そのＷｅｂページ上に所定の事項を入力することにより行うことも考えられる。
【００３２】
すると、決済管理部３０の発行先管理部３２において、カード発行機関２０−１〜２０−ｎから通知された消費者に関する情報がカードＩＤと対応づけられて発行先情報データベース３１ａに登録されて管理される。なお、カード発行機関２０−１〜２０−ｎから決済管理部３０に通知される消費者に関する情報としては、例えば、消費者の氏名や住所、電話番号、電子メールアドレス等が考えられ、これらの情報が、カードＩＤに対応づけられて発行先管理部３２にて管理される。また、発行先管理部３２においては、カード発行機関２０−１〜２０−ｎ毎に、発行するＩＣカード１０に付与するカードＩＤの番号帯が設定されており、カード発行機関２０−１〜２０−ｎにおいては、設定された番号帯のカードＩＤが書き込まれたＩＣカード１０を発行することになる。
【００３３】
次に、カード発行機関２０−１〜２０−ｎにて発行されたＩＣカード１０に入金を行う際の処理について、入金端末５０−１にて入金を行う場合を例に挙げて説明する。
【００３４】
図２は、図１に示した決済システムにてＩＣカード１０に入金を行う際の処理を説明するためのフローチャートである。
【００３５】
ＩＣカード１０に入金を行うためにＩＣカード１０が入金端末５０−１に挿入されると、まず、入金端末５０−１において、ＩＣカード１０に書き込まれたカードＩＤが読み出され、ＩＣカード１０の認証が行われる（ステップＳ１）。
【００３６】
次に、入金端末５０−１に対して所望の金額が入金されるとともに、その金額情報が入力されると（ステップＳ２）、入金端末５０−１において、ＩＣカード１０から金額情報が読み出され、金額情報が書き込まれているかどうか、並びに、残高があるかどうかが確認され（ステップＳ３）、金額情報が書き込まれていない場合、すなわち、まだ一度も金額情報が書き込まれていない場合や、残高が残っていない場合は、ステップＳ２にて入力された金額情報がＩＣカード１０に書き込まれる（ステップＳ４）。
【００３７】
また、ＩＣカード１０に残高が残っている場合は、その残高にステップＳ２にて入力された金額情報が加算され、加算された金額情報がＩＣカード１０に書き込まれることにより、ＩＣカード１０に書き込まれていた金額情報が更新される（ステップＳ５）。
【００３８】
その後、入金端末５０−１においては、ステップＳ２にて入力された金額情報が、金額情報が書き込まれたＩＣカード１０のカードＩＤとともに、ネットワーク７０を介して決済管理部３０に送信される（ステップＳ６）。なお、この際、入金端末５０−１固有の端末ＩＤもネットワーク７０を介して決済管理部３０に送信される。
【００３９】
入金端末５０−１から送信された金額情報が決済管理部３０にて受信されると（ステップＳ７）、まず、金額情報管理部３４において、金額情報データベース３１ｂが参照され、入金端末５０−１から金額情報とともに送信されてきたカードＩＤによる金額情報が検索される（ステップＳ８）。ここで、金額情報データベース３１ｂにおいては、入金端末５０−１〜５０−ｍにて既に入金処理が行われているＩＣカードについては、そのＩＣカードのカードＩＤと対応づけて金額情報が登録されているが、まだ入金処理が一度も行われていないＩＣカードについては、そのカードＩＤは登録されていない。
【００４０】
入金端末５０−１から金額情報とともに送信されてきたカードＩＤによる金額情報が金額情報データベース３１ｂに登録されていない場合は（ステップＳ９）、金額情報管理部３４において、入金端末５０−１から送信されてきた金額情報がその金額情報とともに送信されてきたカードＩＤと対応づけられて金額情報データベース３１ｂに登録されて管理される（ステップＳ１０）。
【００４１】
また、入金端末５０から金額情報とともに送信されてきたカードＩＤによる金額情報が金額情報データベース３１ｂに登録されている場合は、金額情報管理部３４において、金額情報データベース３１ｂに登録されている金額情報に、入金端末５０−１から送信されてきた金額情報が加算され、加算された金額情報が金額情報データベース３１ｂに登録されることにより、金額情報データベース３１ｂに登録されていた金額情報が更新される（ステップＳ１１）。
【００４２】
その後、決済管理部３０の口座管理部３０において、金融機関４０−１〜４０−Ｎに設けられた口座のうち、入金端末５０−１から金額情報とともに送信されてきたカードＩＤによって決められた口座に、入金端末５０−１から送信されてきた金額情報による金銭が振り込まれる（ステップＳ１２）。また、この金銭においては、その後、ネットワーク７０を介して金額情報とともに送信されてきた端末ＩＤによって特定される入金端末５０−１が設置された店舗等から回収されることになる。
【００４３】
次に、金額情報が書き込まれたＩＣカード１０を加盟店６０−１〜６０−Ｍにて利用する際の処理について、ＩＣカード１０を加盟店６０−１にて利用する場合を例に挙げて説明する。
【００４４】
図３は、図１に示した決済システムにて加盟店６０−１にてＩＣカード１０が利用された際の処理を説明するためのフローチャートである。
【００４５】
金額情報が書き込まれたＩＣカード１０を加盟店６０−１にて利用するために、ＩＣカード１０が加盟店６０−１に設置された加盟店端末６１−１に挿入されると、まず、加盟店端末６１−１において、ＩＣカード１０に書き込まれたカードＩＤが読み出され、ＩＣカード１０の認証が行われる（ステップＳ２１）。
【００４６】
その後、加盟店６０−１にてＩＣカード１０を用いて販売あるいは提供された商品やサービスの内容が利用情報として加盟店端末６１−１に入力されるとともに、その代金が金額情報として加盟店端末６１−１に入力されると（ステップＳ２２）、まず、加盟店端末６１−１において、ＩＣカード１０に書き込まれている金額情報から、入力された金額情報が減算され、減算された金額情報がＩＣカード１０に書き込まれることにより、ＩＣカード１０に書き込まれていた金額情報が更新される（ステップＳ２３）。
【００４７】
次に、加盟店端末６１−１においては、ステップＳ２２にて入力された利用情報と金額情報が、金額情報が更新されたＩＣカード１０のカードＩＤとともに、ネットワーク７０を介して決済管理部３０に送信される（ステップＳ２４）。なお、この際、加盟店端末６１−１固有の端末ＩＤもネットワーク７０を介して決済管理部３０に送信される。
【００４８】
加盟店端末６１−１から送信された金額情報及び利用情報が決済管理部３０にて受信されると（ステップＳ２５）、まず、金額情報管理部３４において、金額情報データベース３１ｂが参照され、加盟店端末６１−１から金額情報とともに送信されてきたカードＩＤによる金額情報が検索され（ステップＳ２６）、金額情報データベース３１ｂに登録されている金額情報から、加盟店端末６１−１から送信されてきた金額情報が減算され、減算された金額情報が金額情報データベース３１ｂに登録されて管理されることにより、金額情報データベース３１ｂに登録されていた金額情報が更新される（ステップＳ２７）。
【００４９】
その後、決済管理部３０の口座管理部３０において、金融機関４０−１〜４０−Ｎに設けられた口座のうち、加盟店端末６１−１から金額情報とともに送信されてきたカードＩＤによって決められた口座から、加盟店端末６１−１から送信されてきた金額情報による金銭が引き落とされる（ステップＳ２８）。また、引き落とされた金銭は、その後、ネットワーク７０を介して金額情報とともに送信されてきた端末ＩＤによって特定される加盟店端末６１−１が設置された加盟店６０−１に送金される。
【００５０】
また、利用状況管理部３６において、加盟店端末６１−１から金額情報とともに送信されてきた利用情報が、その利用情報とともに加盟店端末６１−１から送信されてきたカードＩＤに対応づけられて利用状況データベース３１ｃに登録されて管理される（ステップＳ２９）。
【００５１】
次に、決済管理部３０の広告情報配信部３７において利用状況データベース３１ｃに登録されている利用情報を用いて広告情報を配信する際の処理について説明する。
【００５２】
広告情報配信部３７においては、配信可能な広告情報が広告情報データベース３１ｄに登録されて管理されており、また、利用状況データベース３１ｃに登録されている利用情報に応じて、広告情報データベース３１ｄに登録されている広告情報のうちどの広告情報を配信するかが設定されている。例えば、スキー用品を購入したという利用情報に対してはスキー場に関する広告情報を配信する旨が設定されており、また、子供用玩具を購入したという利用情報に対しては子供用品に関する広告情報を配信する旨が設定されている。
【００５３】
そのため、広告情報配信部３７においては、まず、広告情報データベース３１ｄに登録されている広告情報のうち、配信したい広告情報が抽出され、次に、この広告情報に対応して設定された利用情報が認識される。
【００５４】
次に、利用状況データベース３１ｃに登録されている利用情報のうち、抽出された広告情報に対応して設定された利用情報に対応づけられたカードＩＤが検出され、次に、発行先情報データベース３１ａが参照され、検出されたカードＩＤに対応づけて管理されている発行先に関する情報が検索される。
【００５５】
発行先情報データベース３１ａには、ＩＣカード１０の発行先の氏名や住所、電話番号や電子メールアドレスが登録されているため、広告情報配信部３７においては、例えば、ＩＣカード１０の発行先の電子メールアドレスが宛先に設定され、広告情報データベース３１ｄから抽出された広告情報が掲載された電子メールが、ＩＣカード１０の発行先に配信されることになる。
【００５６】
これにより、ＩＣカード１０の所有者に対して、ＩＣカード１０の利用内容に応じた広告情報を提供することができるようになる。
【００５７】
また、発行先情報データベース３１ａに登録された情報を用いて、ＩＣカード１０の利用内容に応じた広告情報を提供するのではなく、ＩＣカード１０の利用内容に応じたアンケートを配信し、そのアンケート結果によって、ＩＣカード１０の所有者の嗜好情報をさらに詳細に収集することも考えられる。
【００５８】
なお、本形態においては、ＩＣカード１０のみを用いた決済を行う場合を例に挙げて説明したが、本発明におけるＩＣカード１０を用いた決済に加えて、携帯電話機を用いた決済を行うことも考えられる。
【００５９】
以下に、上述した決済方法を適用したアプリケーション例について説明する。なお、以下に説明するアプリケーションにおいては、携帯電話機を用いた決済も可能としている。
【００６０】
図４は、図１に示した決済システムを適用した電子チケット配布方法を説明するためのフローチャートである。
【００６１】
電子チケットを購入する際に（ステップＳ３１）、その決済方法として、上述したようなＩＣカード１０を用いた決済を利用する場合（ステップＳ３２）、加盟店端末６１−１にＩＣカード１０が挿入されると、まず、加盟店端末６１−１において、ＩＣカード１０に書き込まれたカードＩＤが読み出され、ＩＣカード１０の認証が行われる。その後、電子チケットの購入が利用情報として加盟店端末６１−１に入力されるとともに、その代金が金額情報として加盟店端末６１−１に入力されると（ステップＳ３３）、まず、加盟店端末６１−１において、ＩＣカード１０に書き込まれている金額情報から、入力された金額情報が減算され、減算された金額情報がＩＣカード１０に書き込まれることにより、ＩＣカード１０に書き込まれていた金額情報が更新される（ステップＳ３４）。
【００６２】
また、加盟店端末６１−１においては、利用情報として入力されたチケットの購入に対して、そのチケット情報が電子チケット情報としてＩＣカード１０に書き込まれる（ステップＳ３５）。
【００６３】
また、加盟店端末６１−１においては、電子チケットの金額情報と電子チケット情報とが、このＩＣカード１０のカードＩＤとともに、ネットワーク７０を介して決済管理部３０に送信され、決済管理部３０において、上述したように金額情報が更新されるとともに、電子チケット情報がカードＩＤと対応づけられて登録される（ステップＳ３６）。
【００６４】
その後、ＩＣカード１０の所有者がイベント会場に来場し、ＩＣカード１０に書き込まれた情報を読み出し可能に構成され、決済管理部３０に接続された端末にＩＣカード１０が挿入されると、ＩＣカード１０に書き込まれた電子チケット情報が読み出され、また、このＩＣカード１０のカードＩＤによって決済管理部３０に電子チケット情報が登録されているかどうかが確認され、チケットが来場者に渡されることになる。
【００６５】
一方、電子チケットを購入する際に、その決済方法として、携帯電話機を用いた決済を利用する場合は、携帯電話機を用いて、電子チケット購入サイトにアクセスし（ステップＳ３７）、その購入サイトにて指定された事項を入力することにより電子チケットの購入が指定されると（ステップＳ３８）、購入が指定された電子チケットが決済管理部３０にて登録される（ステップＳ３９）。なお、ステップＳ３８においては、購入者を特定可能な情報や携帯電話機の電子メールアドレスや決済を行うクレジットカードの番号等が入力され、ステップＳ３９においては、電子チケットが購入者を特定可能な情報と対応づけて登録される。また、上述したような購入者を特定可能な情報や携帯電話機の電子メールアドレスや決済を行うクレジットカードの番号等が既に決済管理部３０にて登録されている場合は、その登録の際に発行された顧客ＩＤを指定することにより、登録されたクレジットカードを用いて決済を行うことが指定されることになる。
【００６６】
次に、決済管理部３０から電子チケットの購入を指定した携帯電話機に対して、購入した電子チケットが決済管理部３０にて登録された旨を示す電子メールが送信され、この電子メールは、電子チケットの購入を指定した携帯電話機にて受信される（ステップＳ４０）。
【００６７】
その後、携帯電話機の所有者がイベント会場に来場し、受信した電子メールをイベント会場のゲートにて見せることにより、チケットが来場者に渡されることになる。
【００６８】
なお、上述した処理においては、電子チケットの代金が、ステップＳ３８にて指定されたクレジットカードを用いて支払われることになるが、クレジットカード以外の決済を行う場合は、ステップＳ３８にてその旨が指定され、例えば、イベント会場において、チケットと交換に代金が支払われることになる。
【００６９】
このように、本発明におけるＩＣカードを用いた決済方法と携帯電話機を用いた決済方法を組み合わせることにより、利用者にとっては、ＩＣカードを所持していない場合は携帯電話機を用いてチケットを購入することができ、また、携帯電話機を所持していない場合はＩＣカードを用いてチケットを購入することができるようになる。
【図面の簡単な説明】
【００７０】
【図１】本発明の決済システムの実施の一形態を示す図である。
【図２】図１に示した決済システムにてＩＣカードに入金を行う際の処理を説明するためのフローチャートである。
【図３】図１に示した決済システムにて加盟店にてＩＣカードが利用された際の処理を説明するためのフローチャートである。
【図４】図１に示した決済システムを適用した電子チケット配布方法を説明するためのフローチャートである。
【符号の説明】
【００７１】
１０    ＩＣカード
２０−１〜２０−ｎ    カード発行機関
３０    決済管理部
３１ａ    発行先情報データベース
３１ｂ    金額情報データベース
３１ｃ    利用状況データベース
３１ｄ    広告情報データベース
３２    発行先管理部
３３    通信部
３４    金額情報管理部
３５    口座管理部
３６    利用状況管理部
３７    広告情報配信部
４０−１〜４０−Ｎ    金融機関
５０−１〜５０−ｍ    入金端末
６０−１〜６０−Ｍ    加盟店
６１−１〜６１−Ｍ    加盟店端末
７０    ネットワーク
【図１】
2005242820.tif 000003
【図２】
2005242820.tif 000004
【図３】
2005242820.tif 000005
【図４】
2005242820.tif 000006